(57)【要約】【構成】信号処理回路２２は、撮像装置１６によって捉えられた被写界を表す画像データをカメラモードに対応して出力する。ＣＰＵ３６は、記録媒体４２に記録された画像データをカメラモードに代替する再生モードに対応して再生する。プロジェクタ２８は、信号処理回路２２から出力された画像データおよび記録媒体４２から再生された画像データのいずれか一方に基づく光学像を生成する。ＣＰＵ３６は、カメラモードが選択されたときリアプロジェクションパネル３０を光学像の投影先として固定的に指定し、再生モードが選択されたとき外部スクリーンおよびリアプロジェクションパネル３０一方を光学像の投影先として任意的に指定する。【効果】操作性が向上する。【選択図】図２
2011135399.tif 000002
【特許請求の範囲】
【請求項１】
被写界を表す画像データをカメラモードに対応して出力する撮像手段、
記録媒体に記録された画像データを前記カメラモードに代替する再生モードに対応して再生する再生手段、
前記撮像手段から出力された画像データおよび前記再生手段によって再生された画像データのいずれか一方に基づく光学像を生成する生成手段、
前記カメラモードが選択されたとき内部スクリーンを前記生成手段によって生成された光学像の投影先として固定的に指定する第１指定手段、および
前記再生モードが選択されたとき外部スクリーンおよび前記内部スクリーンの一方を前記生成手段によって生成された光学像の投影先として任意的に指定する第２指定手段を備える、電子カメラ。
【請求項２】
前記撮像手段はカメラ筐体の前方を捉え、
前記内部スクリーンはカメラ筐体の後面に設けられる、請求項１記載の電子カメラ。
【請求項３】
前記生成手段によって生成された光学像を前記外部スクリーンに投影するためのレンズを前記カメラ筐体の前面に露出する態様で設けるようにした、請求項１または２記載の電子カメラ。
【請求項４】
前記生成手段によって生成された光学像を反射させるミラー、および
前記第１指定手段および前記第２指定手段の各々の指定に適合するように前記ミラーの位置を制御する制御手段をさらに備える、請求項１ないし３のいずれかに記載の電子カメラ。
【請求項５】
前記第２指定手段は、第１指定操作に応答して前記外部スクリーンを指定する一方、第２指定操作に応答して前記内部スクリーンを指定する、請求項１ないし４のいずれかに記載の電子カメラ。
【発明の詳細な説明】
【技術分野】
【０００１】
この発明は、電子カメラに関し、特に画像データに基づく光学像を投影する機能を有する、電子カメラに関する。
【背景技術】
【０００２】
この種のカメラの一例が、特許文献１に開示されている。この背景技術によれば、ＣＣＤは、撮影レンズを通過した被写体光束を撮像して、被写体像信号を出力する。液晶ミラーは、ＣＣＤの光路内にあって、制御信号に応じて被写体光束を反射し若しくは透過する。測距／測光センサは、反射状態にある液晶ミラーによって反射された被写体光束を受光して、撮影レンズの焦点状態を検出する。背面液晶モニタは、液晶ミラーが透過状態にあるときにＣＣＤから出力される被写体像信号に基づいて被写体の動画像を表示する一方、液晶ミラーが反射状態にあるときに動画像に代えて静止画像を表示する。
【先行技術文献】
【特許文献】
【０００３】
【特許文献１】特開２００８−２２３０３号公報
【発明の概要】
【発明が解決しようとする課題】
【０００４】
しかし、背景技術では、動画像および／または静止画像の表示先が背面液晶モニタに限られるため、操作性に限界がある。
【０００５】
それゆえに、この発明の主たる目的は、操作性を向上させることができる、電子カメラを提供することである。
【課題を解決するための手段】
【０００６】
この発明に従う電子カメラ(10：実施例で相当する参照符号。以下同じ)は、被写界を表す画像データをカメラモードに対応して出力する撮像手段(16, 22)、記録媒体(42)に記録された画像データをカメラモードに代替する再生モードに対応して再生する再生手段(S43)、撮像手段から出力された画像データおよび再生手段によって再生された画像データのいずれか一方に基づく光学像を生成する生成手段(50)、カメラモードが選択されたとき内部スクリーン(30)を生成手段によって生成された光学像の投影先として固定的に指定する第１指定手段(S13)、および再生モードが選択されたとき外部スクリーンおよび内部スクリーンの一方を生成手段によって生成された光学像の投影先として任意的に指定する第２指定手段(S7, S13, S17)を備える。
【０００７】
好ましくは、撮像手段はカメラ筐体(CB1)の前方を捉え、内部スクリーンはカメラ筐体の後面に設けられる。
【０００８】
好ましくは、生成手段によって生成された光学像を外部スクリーンに投影するためのレンズ(60)はカメラ筐体の前面に露出する態様で設けられる。
【０００９】
好ましくは、生成手段によって生成された光学像を反射させるミラー(54)、および第１指定手段および第２指定手段の各々の指定に適合するようにミラーの位置を制御する制御手段(52)がさらに備えられる。
【００１０】
好ましくは、第２指定手段は、第１指定操作に応答して外部スクリーンを指定する一方、第２指定操作に応答して内部スクリーンを指定する。
【発明の効果】
【００１１】
この発明によれば、カメラモードが選択されると、撮像手段から出力された画像データに基づく光学像が内部スクリーンに投影される。操作者は、内部スクリーンの表示を参照しつつ撮像操作を行う。また、再生モードが選択されると、記録媒体から再生された画像データに基づく光学像が内部スクリーンまたは外部スクリーンに投影される。操作者は、内部スクリーンまたは外部スクリーンの表示を参照しつつ再生操作を行う。これによって、操作性が向上する。
【００１２】
この発明の上述の目的，その他の目的，特徴および利点は、図面を参照して行う以下の実施例の詳細な説明から一層明らかとなろう。
【図面の簡単な説明】
【００１３】
【図１】この発明の基本的構成を示すブロック図である。
【図２】この発明の一実施例の構成を示すブロック図である。
【図３】図２実施例に適用されるプロジェクタの構成の一例を示す図解図である。
【図４】（Ａ）は図２実施例を前方から眺めた状態を示す図解図であり、（Ｂ）は図２実施例を後方から眺めた状態を示す図解図である。
【図５】図２実施例に適用されるＣＰＵの動作の一部を示すフロー図である。
【図６】図２実施例に適用されるＣＰＵの動作の他の一部を示すフロー図である。
【図７】図２実施例に適用されるＣＰＵの動作のその他の一部を示すフロー図である。
【発明を実施するための形態】
【００１４】
以下、この発明の実施の形態を図面を参照しながら説明する。
［基本的構成］
【００１５】
図１を参照して、この発明の電子カメラは、基本的に次のように構成される。撮像手段１は、被写界を表す画像データをカメラモードに対応して出力する。再生手段２は、記録媒体６に記録された画像データをカメラモードに代替する再生モードに対応して再生する。生成手段３は、撮像手段１から出力された画像データおよび再生手段２によって再生された画像データのいずれか一方に基づく光学像を生成する。第１指定手段４は、カメラモードが選択されたとき内部スクリーン７を生成手段３によって生成された光学像の投影先として固定的に指定する。第２指定手段５は、再生モードが選択されたとき外部スクリーン８および内部スクリーン７の一方を生成手段３によって生成された光学像の投影先として任意的に指定する。
【００１６】
したがって、カメラモードが選択されると、撮像手段１から出力された画像データに基づく光学像が内部スクリーン７に投影される。操作者は、内部スクリーン７の表示を参照しつつ撮像操作を行う。また、再生モードが選択されると、記録媒体６から再生された画像データに基づく光学像が内部スクリーン７または外部スクリーン８に投影される。操作者は、内部スクリーン７または外部スクリーン８の表示を参照しつつ再生操作を行う。これによって、操作性が向上する。
［実施例］
【００１７】
図２を参照して、この実施例のディジタルカメラ１０は、ドライバ１８ａおよび１８ｂによってそれぞれ駆動されるフォーカスレンズ１２および絞り機構１４を含む。フォーカスレンズ１２および絞り機構１４を経た被写界の光学像は、撮像装置１６の撮像面に照射され、光電変換を施される。これによって、被写界像を表す電荷が生成される。
【００１８】
キー入力装置３８に設けられたモード切り換えスイッチ３８ｍｄによってカメラモードが選択されると、ＣＰＵ３６は、撮像タスクの下で動画取り込み処理を実行するべく、ドライバ１８ｃにプリ露光動作および間引き読み出し動作の繰り返しを命令する。ドライバ１８ｃは、ＳＧ２０から出力された垂直同期信号Ｖｓｙｎｃに応答して、撮像面にプリ露光を施し、かつ撮像面で生成された電荷の一部をラスタ走査態様で読み出す。撮像装置１６からは、読み出された電荷に基づく生画像データが周期的に出力される。
【００１９】
信号処理回路２２は、撮像装置１６から出力された生画像データに白バランス調整，色分離，ＹＵＶ変換などの処理を施し、これによって作成されたＹＵＶ形式の画像データをメモリ制御回路２４を通してＳＤＲＡＭ２６に書き込む。プロジェクタ２８は、ＳＤＲＡＭ２６に書き込まれた画像データをメモリ制御回路２４を通して繰り返し読み出し、読み出された画像データに対応する光学像を生成する。
【００２０】
カメラモードが選択されたとき、ＣＰＵ３６は、表示制御タスクの下でリアプロジェクションパネル３０を固定的に指定する。プロジェクタ２８によって生成された光学像はリアプロジェクションパネル３０に投影され、操作者はリアプロジェクションパネル３０に表示されたスルー画像を参照して撮像操作を行う。
【００２１】
撮像面の中央には図示しない評価エリアが割り当てられる。輝度評価回路３２は、信号処理回路２２から出力されたＹデータのうち評価エリアに属するＹデータを、垂直同期信号Ｖｓｙｎｃに応答して積分する。積分値は、輝度評価値として輝度評価回路３２から出力される。また、ＡＦ評価回路３４は、信号処理回路２２から出力されたＹデータのうち評価エリアに属するＹデータの高域周波数成分を、垂直同期信号Ｖｓｙｎｃに応答して積分する。積分値は、ＡＦ評価値としてＡＦ評価回路３４から出力される。
【００２２】
キー入力装置３８に設けられたシャッタボタン３８ｓｈが非操作状態のとき、ＣＰＵ３６は、輝度評価回路３２から出力された輝度評価値に基づいて適正ＥＶ値を算出するべく、簡易ＡＥ処理を繰り返し実行する。算出された適正ＥＶ値を定義する絞り量および露光時間は、ドライバ１８ｂおよび１８ｃにそれぞれ設定される。この結果、リアプロジェクションパネル３０に表示されるスルー画像の明るさが適度に調整される。
【００２３】
シャッタボタン３８ｓｈが操作されると、ＣＰＵ３６は、輝度評価回路３２から出力された輝度評価値に基づいて最適ＥＶ値を算出するべく、厳格ＡＥ処理を実行する。算出された最適ＥＶ値を定義する絞り量および露光時間は、上述と同様、ドライバ１８ｂおよび１８ｃにそれぞれ設定される。これによって、リアプロジェクションパネル３０に表示されるスルー画像の明るさが厳格に調整される。
【００２４】
ＣＰＵ３６は続いて、ＡＦ処理を実行する。フォーカスレンズ１２は光軸方向に移動され、ＡＦ評価回路３４から出力されたＡＦ評価値はフォーカスレンズ１２の移動処理と並列して繰り返し取り込まれる。合焦点は取り込まれたＡＦ評価値に基づいて探索され、フォーカスレンズ１２は発見された合焦点に配置される。これによって、リアプロジェクションパネル３０に表示されるスルー画像の鮮鋭度が向上する。
【００２５】
ＡＦ処理が完了すると、ＣＰＵ３６は、静止画取り込み処理を実行するべく、本露光動作および全画素読み出しを１回ずつ実行することをドライバ１８ｃに命令する。ドライバ１８ｃは、垂直同期信号Ｖｓｙｎｃの発生に応答して撮像面に本露光を施し、撮像面で生成された全ての電荷をラスタ走査態様で読み出す。この結果、被写界を表す高解像度の生画像データが撮像装置１６から出力される。出力された生画像データは上述と同様の処理を施され、この結果、ＹＵＶ形式に従う高解像度の画像データがＳＤＲＡＭ２６に確保される。
【００２６】
ＣＰＵ３６はその後、記録処理を実行するべく、Ｉ／Ｆ４０を起動する。Ｉ／Ｆ４０は、ＳＤＲＡＭ２６に格納された高解像度の画像データをメモリ制御回路２４を通して読み出し、読み出された画像データをファイル形式で記録媒体４２に記録する。記録処理が完了すると、動画取込み処理が再開される。
【００２７】
モード切り換えスイッチ３８ｍｄによって再生モードが選択されると、ＣＰＵ３６は、再生タスクの下で以下の処理を実行する。ＣＰＵ３６はまず、記録媒体４２に記録された最新の画像ファイルを再生画像ファイルとして指定し、指定画像ファイルに注目した再生処理の実行をＩ／Ｆ４０およびプロジェクタ２８に命令する。
【００２８】
Ｉ／Ｆ４０は、指定された画像ファイルの画像データを記録媒体４２から読み出し、読み出された画像データをメモリ制御回路２４を通してＳＤＲＡＭ２６に書き込む。プロジェクタ２８は、ＳＤＲＡＭ２６に格納された画像データをメモリ制御回路２４を通して読み出し、読み出された画像データに対応する光学像を生成する。
【００２９】
再生モードが選択されたとき、ＣＰＵ３６は、表示制御タスクの下で、リアプロジェクションパネル３０および外部スクリーンのいずれか一方を指定する。表示設定スイッチ３８ｄｐの操作によって“リアプロジェクションパネル”が選択されていれば、リアプロジェクションパネル３０が指定される。一方、表示設定スイッチ３８ｄｐの操作によって“外部スクリーン”が選択されていれば、外部スクリーンが指定される。この結果、プロジェクタ２８によって生成された光学像は、リアプロジェクションパネル３０または外部スクリーンに投影される。操作者は、リアプロジェクションパネル３０または外部スクリーンに表示された再生画像を参照して再生操作を行う。
【００３０】
キー入力装置３８に設けられた送り／戻しボタン３８ｆｒが操作されると、ＣＰＵ３６は、後続の画像ファイルまたは先行する画像ファイルを再生画像ファイルとして指定する。指定画像ファイルは上述と同様の再生処理を施され、この結果、リアプロジェクションパネル３０または外部スクリーンの表示が更新される。
【００３１】
プロジェクタ２８は、図３に示すように構成される。ＳＤＲＡＭ２６から読み出された画像データは、プロジェクションユニット５０に与えられる。プロジェクションユニット５０は、与えられた画像データに対応する光学像を生成し、生成された光学像を光路ＬＰに沿って出力する。
【００３２】
ミラー５４は出力された光学像をレンズ５６に向けて反射させるべく設けられ、ミラー５８は出力された光学像をレンズ６０に向けて反射させるべくミラー５４の後方に設けられる。ここで、ミラー５８は固定的に配置される一方、ミラー５４は光路ＬＰを妨げる位置と光路ＬＰから外れる位置との間で移動可能なように配置される。したがって、光学像がミラー５８に到達するのは、ミラー５４が光路ＬＰから外れる位置に移動したときに限られる。尚、ミラー５４が光路ＬＰ上に配置されている場合は状態変数＝ＳＴ１、光路ＬＰ上から外れた位置に配置されている場合は状態変数＝ＳＴ２に設定される。この状態変数は、ミラーが配置される位置が切り換わる毎に更新される。
【００３３】
ミラー駆動機構５２は、表示設定スイッチ３８ｄｐによる“リアプロジェクションパネル”の選択に対応して、ミラー５４を光路ＬＰ上に配置する。ミラー駆動機構５２はまた、表示設定スイッチ３８ｄｐによる“外部スクリーン”の選択に対応して、ミラー５４を光路ＬＰの脇に退避させる。したがって、プロジェクタユニット５０から出力された光学像は、“リアプロジェクションパネル”が選択されたときレンズ５６に向けて照射され、“外部スクリーン”が選択されたときレンズ６０に向けて照射される。
【００３４】
図４（Ａ）および図４（Ｂ）を参照して、リアプロジェクションパネル３０はカメラ筐体ＣＢ１の後面に設けられ、レンズ５６はリアプロジェクションパネル３０の裏側に設けられる。また、レンズ６０は、カメラ筐体ＣＢ１の前面に露出する態様で設けられる。
【００３５】
したがって、光学像は、“リアプロジェクションパネル”の選択に対応してリアプロジェクションパネル３０に投影される一方、“外部スクリーン”の選択に対応してカメラ筐体ＣＢ１の前方の外部スクリーンに投影される。
【００３６】
ＣＰＵ３０は、図５に示す表示制御タスク，図６に示す撮像タスク，および図７に示す再生タスクを実行する。これらのタスクに対応する制御プログラムは、フラッシュメモリ４４に記憶される。
【００３７】
図５を参照して、ステップＳ１では光路ＬＰ上にミラー５４を配置し、ステップＳ３では状態変数を“ＳＴ１”に設定する。こうして初期設定が完了すると、モード切り換えスイッチ３８ｍｄによって選択された動作モードが再生モードおよびカメラモードのいずれであるかをステップＳ５で判別する。
【００３８】
選択された動作モードがカメラモードであれば、ステップＳ５からステップＳ９に進み、状態変数が“ＳＴ１”であるか否かを判別する。判別結果がＹＥＳであれば、ミラー５４は光路ＬＰ上に配置済みであるとして、そのままステップＳ５に戻る。判別結果がＮＯであれば、ステップＳ１３〜Ｓ１５でステップＳ１〜Ｓ３と同様の処理を実行し、その後にステップＳ５に戻る。
【００３９】
選択された動作モードが再生モードであれば、ステップＳ５からステップＳ７に進み、表示設定スイッチ３８ｄｐの設定が“外部スクリーン”および“リアプロジェクションパネル”のいずれであるかを判別する。表示設定スイッチ３８ｄｐの設定が“リアプロジェクションパネル”であれば、ステップＳ７からステップＳ９に進み、上述と同様の処理を実行する。
【００４０】
表示設定スイッチ３８ｄｐの設定が“外部スクリーン”であれば、ステップＳ７からステップＳ１１に進み、状態変数が“ＳＴ２”であるか否かを判別する。判別結果がＮＯであれば、ステップＳ１７で光路ＬＰの脇にミラー５４を退避させ、ステップＳ１９で状態変数を“ＳＴ２”に更新し、その後にステップＳ５に戻る。判別結果がＹＥＳであれば、ミラー５４は退避済みであるとして、そのままステップＳ５に戻る。
【００４１】
ミラー５４が光路ＬＰ上に配置されたとき、プロジェクタユニット５０から出力された光学像は、ミラー５４で反射され、レンズ５６を通してリアプロジェクションパネル３０に投影される。一方、ミラー５４が光路ＬＰの脇に退避されたとき、プロジェクタユニット５０から出力された光学像は、ミラー５８で反射され、レンズ６０を通して外部スクリーンに投影される。
【００４２】
図６を参照して、ステップＳ２１では動画取込み処理を実行する。この結果、被写界を表すスルー画像がリアプロジェクションパネル３０に表示される。ステップＳ２３ではシャッタボタン３８ｓｈが操作されたか否かを判別し、判別結果がＮＯであればステップＳ２５の簡易ＡＥ処理を繰り返し実行する。この結果、スルー画像の明るさが適度に調整される。
【００４３】
判別結果がＮＯからＹＥＳに更新されると、ステップＳ２７で厳格ＡＥ処理を実行し、ステップＳ２９でＡＦ処理を実行する。この結果、スルー画像の明るさが厳格に調整され、スルー画像の鮮鋭度が向上する。ＡＦ処理が完了すると、ステップＳ３１で静止画取り込み処理を実行し、ステップＳ３３で記録処理を実行する。これによって、ＡＦ処理が完了した時点の被写界を表す画像データがファイル形式で記録媒体４２に記録される。記録処理が完了すると、ステップＳ２１に戻る。
【００４４】
図７を参照して、ステップＳ４１では記録媒体４２に記録された最新の画像ファイルを指定し、ステップＳ４３では指定画像ファイルに注目した再生処理を実行する。この結果、指定画像ファイルに格納された画像データに基づく再生画像がリアプロジェクションパネル３０または外部スクリーンに表示される。ステップＳ４５では、送り／戻しボタン３８ｆｒが操作されたか否かを繰り返し判別する。判別結果がＮＯからＹＥＳに更新されると、ステップＳ４７で次画像ファイルまたは前画像ファイルを次の再生画像ファイルとして指定し、その後にステップＳ４３に戻る。これによって、リアプロジェクションパネル３０または外部スクリーンの表示が更新される。
【００４５】
以上の説明から分かるように、信号処理回路２２は、撮像装置１６によって捉えられた被写界を表す画像データをカメラモードに対応して出力する。ＣＰＵ３６は、記録媒体４２に記録された画像データをカメラモードに代替する再生モードに対応して再生する(S43)。プロジェクタ２８は、信号処理回路２２から出力された画像データおよび記録媒体４２から再生された画像データのいずれか一方に基づく光学像を生成する。ＣＰＵ３６は、カメラモードが選択されたときリアプロジェクションパネル３０を光学像の投影先として固定的に指定し(S13)、再生モードが選択されたとき外部スクリーンおよびリアプロジェクションパネル３０一方を光学像の投影先として任意的に指定する(S7, S13, S17)。
【００４６】
したがって、カメラモードが選択されると、信号処理回路２２から出力された画像データに基づく光学像がリアプロジェクションパネル３０に投影される。操作者は、リアプロジェクションパネル３０の表示を参照しつつ撮像操作を行う。また、再生モードが選択されると、記録媒体４２から再生された画像データに基づく光学像がリアプロジェクションパネル３０または外部スクリーンに投影される。操作者は、リアプロジェクションパネル３０または外部スクリーンの表示を参照しつつ再生操作を行う。これによって、操作性が向上する。
【００４７】
なお、この実施例では、静止画像を記録するスチルカメラを想定しているが、この発明は動画像を記録するムービカメラにも適用できる。
【符号の説明】
【００４８】
１０  …ディジタルカメラ
１６  …撮像装置
２８  …プロジェクタ
３０  …リアプロジェクションパネル
３６  …ＣＰＵ
５０  …プロジェクションユニット
５２  …ミラー駆動機構
５４，５８  …ミラー
【図１】
2011135399.tif 000003
【図２】
2011135399.tif 000004
【図３】
2011135399.tif 000005
【図４】
2011135399.tif 000006
【図５】
2011135399.tif 000007
【図６】
2011135399.tif 000008
【図７】
2011135399.tif 000009